【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
疎水性表面を有するマイクロ流体チャンネルへ水溶液を適用する方法であって：
緩衝液及び下式で示されるものを含む有機シリコーン界面活性剤を含む水溶液
2011515699.tif 000001
〔式中、Ｒ１はそれぞれ独立して、ＯＨ基を有する又は有さない炭素数１〜４のアルキル基を表し；Ｚ１は、炭素数１〜４のヒドロキシアルキル基、又はポリエーテル基を表し；Ｚ２は、ＯＨ基を有する若しくは有さない炭素数１〜４のアルキル基、又はポリエーテル基を表し；Ｒ４は、ＯＨ基を有する若しくは有さない炭素数１〜４のアルキル基、又は
2011515699.tif 000002
（式中、Ｒ６は、ＯＨ基を有する又は有さない炭素数１〜４のアルキル基を表す。）を表し；ｙは、１以上の整数を表し、ｘは、０以上の整数を表す。〕を用意し；
その水溶液を、疎水性表面を有するマイクロ流体チャンネルへ適用する；
ことを含む当該方法。
【請求項２】
有機シリコーン界面活性剤が、下式で示されるものを含むものである、請求項１に記載の方法：
2011515699.tif 000003
〔式中、Ｒ１はそれぞれ独立して、ＯＨ基を有する又は有さない炭素数１〜４のアルキル基を表し；Ｒ２は、アルキル基、アセチル基、水素原子又はＯＨ基を表し；Ｒ３は、アルキレン基を表し；Ｒ５は、水素原子、又はＯＨ基を有する若しくは有さない炭素数１〜４のアルキル基を表し；Ｒ４は、ＯＨ基を有する若しくは有さない炭素数１〜４のアルキル基、又は
2011515699.tif 000004
（式中、Ｒ６は、ＯＨ基を有する又は有さない炭素数１〜４のアルキル基を表す。）を表し；ｙは、１以上の整数を表し；ｘ、ｍ、ｎ、ｐ及びｑはそれぞれ独立して、０以上の整数を表す。〕。
【請求項３】
有機シリコーン界面活性剤が、下式［1］又は［1-2］で示されるものを含むものである、請求項１に記載の水溶液：
2011515699.tif 000005
2011515699.tif 000006
〔式中、Ｒ１は、それぞれ独立して、ＯＨ基を有する又は有さない炭素数１〜４のアルキル基を表し；Ｒ２は、炭素数１〜４のアルキル基、アセチル基、水素原子、又はＯＨ基を表し；Ｒ５は、水素原子、又はＯＨ基を有する若しくは有さない炭素数１〜４のアルキル基を表し；Ｒ４は、ＯＨ基を有する若しくは有さない炭素数１〜４のアルキル基、又は
2011515699.tif 000007
（式中、Ｒ６は、ＯＨ基を有する又は有さない炭素数１〜４のアルキル基を表す。）を表し；ｙ、ｍ'及びｐ'はそれぞれ独立して、１以上の整数を表し、ｘ、ｎ'及びｑ'はそれぞれ独立して、０以上の整数を表す。〕。
【請求項４】
水溶液が、更にブロッキング剤を含むものであって、ブロッキング剤が、ポリ(アルキレンオキサイド)オリゴマー又は／及びポリ−ジメチルアクリルアミド（p-DMA）である、請求項１に記載の方法。
【請求項５】
ポリ(アルキレンオキサイド)オリゴマーが、下式で示されるものを含むものである、請求項４に記載の方法：
2011515699.tif 000008
（式中、Ｑ１はそれぞれ独立して、水素原子又は炭素数１〜４のアルキル基を表し；Ｑ２はそれぞれ独立して、水素原子又は炭素数１〜４のアルキル基を表し；Ｑ３はそれぞれ独立して、水素原子又は炭素数１〜４のアルキル基を表し；Ｑ４はそれぞれ独立して、水素原子又は−ＯＨ基を表し；ａ、ｂ及びｃはそれぞれ独立して、１以上の整数を表す。）。
【請求項６】
Ｑ１がそれぞれ水素原子であり、Ｑ３がそれぞれ水素原子である、請求項５に記載の方法。
【請求項７】
水溶液が、更にブロッキング剤を含むものであり、ブロッキング剤が、有機シリコーン界面活性剤よりも長い鎖長を有するポリ(アルキレンオキオキサイド)オリゴマーである、請求項１に記載の方法。
【請求項８】
ポリ(アルキレンオキサイド)オリゴマーが、下式で示されるものを含むものである、請求項４に記載の方法：
2011515699.tif 000009
（式中、ａ＝99〜101、ｂ＝56〜69、ａ＝ｃである。）。
【請求項９】
p-DMAが、50,000以上の数平均分子量及び100,000以上の重量平均分子量を有するものである、請求項４に記載の方法。
【請求項１０】
トレーリング・イオン、リーディング・イオン、分析物、試料、アナログ、標識物質、抗体、抗原、核酸鎖、タンパク質、荷電ポリマー、ミセルを形成する荷電物質及び充填剤から成る群より選ばれる少なくとも１つの成分を水溶液中に含有させることを更に含む、請求項１に記載の方法。
【請求項１１】
疎水性表面を有するチャンネルが、試料の電気泳動分離用及び／又は試料の免疫測定用の疎水性マイクロ流体チャンネルである、請求項１に記載の方法。
【請求項１２】
疎水性表面を有するチャンネルが、マイクロ流体チャンネル内で又はそれに沿って細胞を分類又は計量するための疎水性マイクロ流体チャンネルである、請求項１記載の方法。
【請求項１３】
疎水性表面を有するチャンネルが、高速液体クロマトグラフィー（ＨＰＬＣ）用、キャピラリーゾーン電気泳動法用又はミセル動電クロマトグラフィー用の疎水性マイクロチャンネル又はマイクロキャピラリーである、請求項１に記載の方法。
【請求項１４】
チャンネルに適用するための水溶液であって、
緩衝液及び
有機シリコーン界面活性剤
を含み、
有機シリコーン界面活性剤が下式で示されるものを含むものであることを特徴とする当該水溶液：
2011515699.tif 000010
〔式中、Ｒ１はそれぞれ独立して、ＯＨ基を有する又は有さない炭素数１〜４のアルキル基を表し；Ｚ１は、炭素数１〜４のヒドロキシアルキル基又はポリエーテル基を表し；Ｚ２は、ＯＨ基を有する若しくは有さない炭素数１〜４のアルキル基、又はポリエーテル基を表し；Ｒ４は、ＯＨ基を有する若しくは有さない炭素数１〜４のアルキル基、又は
2011515699.tif 000011
（式中、Ｒ６は、ＯＨ基を有する又は有さない炭素数１〜４のアルキル基を表す。）を表し；ｙは、１以上の整数を表し、ｘは、０以上の整数を表す。〕。
【請求項１５】
有機シリコーン界面活性剤が、下式で示されるものを含むものである、請求項１４に記載の水溶液：
2011515699.tif 000012
〔式中、Ｒ１はそれぞれ独立して、ＯＨ基を有する又は有さない炭素数１〜４のアルキル基を表し；Ｒ２は、アルキル基、アセチル基、水素原子、又はＯＨ基を表し；Ｒ３はアルキレン基を表し；Ｒ５は、水素原子、又はＯＨ基を有する若しくは有さない炭素数１〜４のアルキル基を表し；Ｒ４は、ＯＨ基を有する若しくは有さない炭素数１〜４のアルキル基、又は
2011515699.tif 000013
（式中、Ｒ６は、ＯＨ基を有する又は有さない炭素数１〜４のアルキル基を表す。）を表し；ｙは、１以上の整数を表し、ｘ、ｍ、ｎ、ｐ及びｑはそれぞれ独立して、０以上の整数を表す。〕。
【請求項１６】
有機シリコーン界面活性剤が、下式［1］又は［1-2］で示されるものを含むものである、請求項１４に記載の水溶液：
2011515699.tif 000014
2011515699.tif 000015
〔式中、Ｒ１はそれぞれ独立して、ＯＨ基を有する又は有さない炭素数１〜４のアルキル基を表し；Ｒ２は、炭素数１〜４のアルキル基、アセチル基、水素原子、又はＯＨ基を表し；Ｒ５は、水素原子、又はＯＨ基を有する若しくは有さない炭素数１〜４のアルキル基を表し；Ｒ４は、ＯＨ基を有する若しくは有さない炭素数１〜４のアルキル基、又は
2011515699.tif 000016
（式中、Ｒ６は、ＯＨ基を有する又は有さない炭素数１〜４のアルキル基を表す。）を表し；ｙ、ｍ'及びｐ'はそれぞれ独立して、１以上の整数を表し；ｘ、ｎ'及びｑ'はそれぞれ独立して、０以上の整数を表す。〕。
【請求項１７】
緩衝液が、pH６〜８、pH６〜９、又はpH６〜10を有するものである、請求項１４に記載の水溶液。
【請求項１８】
Ｒ１が、−ＣＨ３基である、請求項１４に記載の水溶液。
【請求項１９】
更にブロッキング剤を含む、請求項１４に記載の水溶液。
【請求項２０】
ブロッキング剤が、ポリ(アルキレンオキサイド)オリゴマー又は／及びポリ−ジメチルアクリルアミド（p-DMA）である、請求項１９に記載の水溶液。
【請求項２１】
ポリ(アルキレンオキサイド)オリゴマーが、下式で示されるものを含むものである、請求項２０に記載の水溶液：
2011515699.tif 000017
（式中、Ｑ１はそれぞれ独立して、水素原子又は炭素数１〜４のアルキル基を表し；Ｑ２はそれぞれ独立して、水素原子又は炭素数１〜４のアルキル基を表し；Ｑ３はそれぞれ独立して、水素原子又は炭素数１〜４のアルキル基を表し；Ｑ４はそれぞれ独立して、水素原子又は−ＯＨ基を表し；ａ、ｂ及びｃはそれぞれ独立して、１以上の整数を表す。）。
【請求項２２】
Ｑ１がそれぞれ水素原子であり、Ｑ３がそれぞれ水素原子である、請求項２１に記載の水溶液。
【請求項２３】
ブロッキング剤が、ポリ(アルキレンオキサイド)オリゴマーであり、有機シリコーン界面活性剤よりも長い鎖長を有するポリ(アルキレンオキシド)オリゴマーである、請求項１９に記載の水溶液。
【請求項２４】
ポリ(アルキレンオキサイド)オリゴマーが、下式で示されるものを含むものである、請求項２０に記載の水溶液：
2011515699.tif 000018
（式中、ａ＝99〜101、ｂ＝56〜69、ａ＝ｃである。）。
【請求項２５】
p-DMAが、50,000以上の数平均分子量及び100,000以上の重量平均分子量を有するものである、請求項２０に記載の水溶液。
【請求項２６】
トレーリング・イオン、リーディング・イオン、分析物、試料、アナログ、標識物質、抗体、抗原、核酸鎖、タンパク質、荷電ポリマー、ミセルを形成する荷電物質及び充填剤から成る群より選ばれる少なくとも１つの成分を更に含む、請求項１４に記載の水溶液。